(57)【要約】【課題】ボルトやワッシャやナット等の小型の金物をある程度の面積を有する板状部材に磁力により吸着保持させるとともに、ワッシャなどのような形態の小型の金物でも容易に選択して手にすることのできる金物保持器具を提供すること。【解決手段】金物Ｗを保持させる保持部１１を吊り下げ部材１５で鉛直姿勢に引っ掛けることのできる金物保持器具１０であって、保持部は、鉄製の平板形状に形成されて背面側に永久磁石２３を固設することにより、金物の複数個を表面側に広げた状態で磁力により吸着保持する保持領域１１ｋを有する吸着部材２２を備えており、その保持領域は、吸着部材２２の表面側の断面が三角波形状になるように横方向に連続する溝が形成されて、凹凸が横方向に連続する非平面に形成されている。【選択図】図１
2011161548.tif 000002
【特許請求の範囲】
【請求項１】
小型の金物を動かないように保持する保持部を有する金物保持器具であって、
前記保持部は、前記金物の複数個を表面側に広げた状態で磁力により吸着して保持する保持領域を有する平板形状に形成される一方、当該保持領域は、外周縁の内部で外側に突出する複数の凸形状が形成されて非平面になっていることを特徴とする金物保持器具。
【請求項２】
前記保持部の前記保持領域は、断面が三角波形状または鋸波形状になるように、凹凸が横方向または縦方向に連続する非平面に形成されていることを特徴とする請求項１に記載の金物保持器具。
【請求項３】
前記保持部の前記保持領域は、突起形状が表面内に整列状態あるいは非整列状態に配設されて非平面に形成されていることを特徴とする請求項１に記載の金物保持器具。
【請求項４】
前記保持部の前記保持領域は、強磁性材料の表面側が前記非平面に形成されるとともに当該強磁性材料の裏面側に磁石が配設されて前記金物を吸着保持する磁力を発生させていることを特徴とする請求項２または３に記載の金物保持器具。
【請求項５】
前記保持部の前記保持領域は、棒状の磁石を横臥させるとともに、該棒状磁石の延在する角部を頂角として両側を斜面とする姿勢になるように配列して前記非平面に形成されていることを特徴とする請求項２に記載の金物保持器具。
【請求項６】
前記保持部を所望の位置に吊り下げた状態で支持する吊下部を備えており、
前記保持部は、吊り下げた状態から前記保持領域が上方に向かう方向に回動自在に前記吊下部に支持されていることを特徴とする請求項１から５のいずれかに記載の金物保持器具。
【請求項７】
前記保持部は、前記保持領域の下部から前面に向かって突出する受け形状部が形成されていることを特徴とする請求項１から６のいずれかに記載の金物保持器具。
【請求項８】
前記受け形状部は、平板形状に形成されるとともに、前記保持領域側の表面に前記金物を磁力により吸着して保持する補助領域を形成することを特徴とする請求項７に記載の金物保持器具。
【請求項９】
前記保持部は、長物を差し込んで立てた姿勢で保持する差込部が前記保持領域の側方の隣接位置に連設されていることを特徴とする請求項１から８のいずれかに記載の金物保持器具。
【請求項１０】
前記保持部は、前記保持領域の下部に１つまたは２つ以上の吊り下げ用フックが配設されていることを特徴とする請求項１から９のいずれかに記載の金物保持器具。
【発明の詳細な説明】
【技術分野】
【０００１】
本発明は、金物保持器具に関し、詳しくは、ボルトやワッシャやナット等の小型の金物を一緒に保持する状態から所望の種別の物を容易に選択して手にすることを可能にするものに関する。
【背景技術】
【０００２】
従来、高所作業車のバケット内で作業する場合などには、多種多様の金物のすべてをその作業場所に準備することはできないことから、少なくともバケット内での作業に必要な種別の金物を準備することが行われており、例えば、特許文献１に記載のようなバケット内に吊り下げる工具袋内や特許文献２、３に記載のような作業用ベルトや安全帯に取り付ける腰袋内に直接収容している。
【０００３】
しかるに、袋内に小型の金物をそのまま収容すると、そこから所望の種別の物を取り出そうとしても、手探りでは容易に区別することができないことから探っては確認することを何度も繰り返さなければならない。特に、電柱上部での作業では、高圧電圧用のゴム手袋をした状態であるので、さらに困難であるとともに、例えば、ワッシャのような形態の金物では掴み取ること自体が難しい。
【０００４】
このことから、高所作業車の操作盤が設置されているバケットでは、その操作盤の蓋を回動させて開けた状態のときに、その操作盤に隣接する位置の蓋の内面側が金物などの物入れとして機能することができるように工夫することが提案されている（例えば、特許文献４）。
【０００５】
また、携帯可能な金物保持器具としては、作業者のポケットに回動自在に板状部材（プレート）を鉛直姿勢になる状態で引っ掛けるとともに、その板状部材の背面側に永久磁石を固設することにより、板状部材に小型の金物を磁力により吸着保持させて、金物を選択する場合にはその板状部材を水平になるように回動させて見易くすることのできるものが提案されている（例えば、特許文献５）。
【０００６】
また、同様な金物保持器具としては、作業者の腰ベルトや手首ベルトなどに装着する板状部材に永久磁石を設けることにより、その表面側に小型の金物を吸着保持させることができるように工夫したものが提案されている（例えば、特許文献６〜８）。
【先行技術文献】
【特許文献】
【０００７】
【特許文献１】特開２００８−１７４２７１号公報
【特許文献２】特開２００７−２７６０１４号公報
【特許文献３】実用新案登録第３１４２４３４号公報
【特許文献４】特開２００４−２２４４６５号公報
【特許文献５】特開平８−２９９０３７５号公報
【特許文献６】特開２００１−３１４２１１号公報
【特許文献７】特開２００２−３４３６２５号公報
【特許文献８】特開２００３−１３３１９号公報
【発明の概要】
【発明が解決しようとする課題】
【０００８】
しかしながら、特許文献４に記載のものにあっては、バケット内などに少なくとも各種装置が設置されていなければ実現することができず、また、その装置の蓋を改造しなければならず、普及させることは難しい。さらに、この形態では、バケットの移動と共に金物が転がってしまって選択・取出が難しいという課題も残ってしまう。
【０００９】
これに対して、特許文献５〜８に記載の金物保持器具にあっては、装置の改造が必要ではなく、また、金物を磁力により板状部材の表面側に吸着保持させることから移動により転がるなどの不都合はない。しかしながら、特許文献５の金物保持器具は、板状部材の水平方向に回動軸が上部側に存在して障害物となっていることから、板状部材の表面に吸着保持されている金物は摘んで取り出さなければならず、ワッシャなどのような形態の金物では摘むのが難しい。この課題は、電柱上部での作業のように、高圧電圧用のゴム手袋をしている場合には特に問題になる。
【００１０】
このことから、このような摘み難い形態の金物の場合には、板状部材の表面を滑らせるようにして取り出すことが便利であるが、幅広の上方には障害物が存在し、側方は開放幅が狭く、取り出す必要のない多くの金物を避けながら所望の金物を取り出さなければならないことになり、作業性が悪い。さらに、このような金物保持器具では、下側に落下する金物の受け部を設けるのはよいとしても、唯一の取り出し側となる側方には、ネットを取り付けることを提案しているように、このような課題は想定すらしていない。
【００１１】
また、この課題は、特許文献６〜８の金物保持器具でも同様であり、小面積の板状部材である場合には、それほど問題にならないがそれでは多くの金物を保持させることができず、ある程度の面積を有する板状部材を採用する場合には、同様に、取り出す必要のない多くの金物を避けながら所望の金物を表面を滑らせて取り出さなければならないことに変わりはなく、作業性が悪い。
【００１２】
そこで、本発明は、金物をある程度の面積を有する板状部材に磁力により吸着保持させるとともに、ワッシャのような形態の小型の金物でも容易に取り出すことのできる金物保持器具を提供することを目的としている。
【課題を解決するための手段】
【００１３】
上記課題を解決する金物保持器具の発明は、小型の金物を動かないように保持する保持部を有する金物保持器具であって、前記保持部は、前記金物の複数個を表面側に広げた状態で磁力により吸着して保持する保持領域を有する平板形状に形成される一方、当該保持領域は、外周縁の内部で外側に突出する複数の凸形状が形成されて非平面になっていることを特徴とするものである。
【００１４】
この発明では、ネジやナットやワッシャなどの小型の金物を平板形状の保持部の保持領域の表面内に磁力により吸着させて一時的に仮保持させることができ、その金物は、保持領域の表面内を吸着されている状態のまま滑らせて（スライドさせて）、凸形状の頂部より表面から離隔させて取り出すことができる。
【発明の効果】
【００１５】
このように本発明によれば、平板形状の保持部の表面に小型の金物を磁力により吸着保持させることができるとともに、その金物はそのまま表面内を滑らせるだけで複数個所の凸形状の頂部から離隔させて取り出すことができるので、取り出す必要のない多くの金物を避けることなく、所望の金物を近接する凸形状の頂部から取り出すことができる。したがって、複数個の金物を表面側に広げた状態で吸着保持させるとともに、ワッシャのような形態の小型の金物でも適宜容易に取り出して各種作業を行うことができる。
【図面の簡単な説明】
【００１６】
【図１】本発明に係る金物保持器具の第１実施形態の全体構成を示す図であり、(ａ)はその正面図、(ｂ)はその側面図、(ｃ)はその上面図である。
【図２】その使用時の状態を示す側面図である。
【図３】本発明に係る金物保持器具の第２実施形態の全体構成を示す上面図である。
【図４】本発明に係る金物保持器具の第３実施形態の要部構成を示す一部拡大側面図である。
【発明を実施するための形態】
【００１７】
本発明の実施形態としては、上記の課題解決手段のように、小型の金物を動かないように保持する保持部を有する金物保持器具であって、前記保持部は、前記金物の複数個を表面側に広げた状態で磁力により吸着して保持する保持領域を有する平板形状に形成される一方、当該保持領域は、外周縁の内部で外側に突出する複数の凸形状が形成されて非平面になっていることを基本構成とするのに加えて、次の構成を備えてもよい。
【００１８】
ここで、この金物保持器具としては、前記保持部を所望の位置に吊り下げた状態で支持する吊下部を備えていてもよく、この場合には、作業場所や作業者のベルトなどの所望の位置に吊下部により保持部を吊り下げてネジやナットやワッシャなどの小型の金物を一時的に仮保持させ、必要に応じて取り出して使用することができる。
【００１９】
第１の形態としては、前記保持部の前記保持領域は、断面が三角波形状または鋸波形状になるように、凹凸が横方向または縦方向に連続する非平面に形成されていてもよい。
【００２０】
この構成では、保持領域の表面内で横方向または縦方向に連続する凹凸の傾斜面（断面が三角波形状または鋸波形状の一斜面）内に小型の金物を磁力により吸着保持させることができ、その金物は、傾斜面から頂部に向かう方向に滑らせるだけで離隔させて取り出すことができる。
【００２１】
第２の形態としては、前記保持部の前記保持領域は、突起形状が表面内に整列状態あるいは非整列状態に配設されて非平面に形成されていてもよい。
【００２２】
この構成では、保持領域の表面内で突出する複数の突起形状の一斜面に小型の金物を磁力により吸着保持させることができ、その金物は、斜面から頂部に向かう方向に滑らせるだけで離隔させて取り出すことができる。
【００２３】
第３の形態としては、前記保持部の前記保持領域は、強磁性材料の表面側が前記非平面に形成されるとともに当該強磁性材料の裏面側に磁石が配設されて前記金物を吸着保持する磁力を発生させていてもよい。
【００２４】
この構成では、鉄などの強磁性材料の表面側を所望の非平面に形成して、その裏面側に磁石（永久磁石が好ましいが作業環境によっては電磁石でもよい）を配設するだけで、金物を吸着保持する磁力を保持領域に発生させることができ、容易に加工して作製することができる。
【００２５】
第４の形態としては、前記保持部の前記保持領域は、棒状の磁石を横臥させるとともに、該棒状磁石の延在する角部を頂角として両側を斜面とする姿勢になるように配列して前記非平面に形成されていてもよい。
【００２６】
この構成では、棒状の磁石を角部が頂部になるように表面側に対して寝かせるだけで、その角部の両側斜面を金物を吸着保持する保持領域にすることができ、容易に加工して作製することができる。
【００２７】
第５の形態としては、前記保持部を所望の位置に吊り下げた状態で支持する吊下部を備えており、前記保持部は、吊り下げた状態から前記保持領域が上方に向かう方向に回動自在に前記吊下部に支持されていてもよい。
【００２８】
この構成では、小型の金物を吸着保持する保持領域を鉛直姿勢になるように吊り下げることができ、その保持領域は回動させることで水平にして保持する金物を容易に確認することができる。
【００２９】
第６の形態としては、前記保持部は、前記保持領域の下部から前面に向かって突出する受け形状部が形成されていてもよい。
【００３０】
この構成では、小型の金物を吸着保持する鉛直姿勢の保持領域の下部に受け形状部を備えることができ、その保持領域から降下する金物を受け形状部で受けて脱落することを回避することができる。
【００３１】
第７の形態としては、前記受け形状部は、平板形状に形成されるとともに、前記保持領域側の表面に前記金物を磁力により吸着して保持する補助領域を形成してもよい。
【００３２】
この構成では、保持領域から降下する金物を受け形状部の補助領域でも磁力により吸着保持することができ、落下してしまう金物をより少なくすることができる。
【００３３】
第８の形態としては、前記保持部は、長物を差し込んで立てた姿勢で保持する差込部が前記保持領域の側方の隣接位置に連設されていてもよい。
【００３４】
この構成では、小型の金物を吸着保持する保持領域の側方に差込部を備えることができ、その差込部には長いボルトやドライバなどのように保持領域の磁力で吸着保持するには邪魔となる・無理がある長物を鉛直姿勢のときに差し込んで保持させることができる。
【００３５】
第９の形態としては、前記保持部は、前記保持領域の下部に１つまたは２つ以上の吊り下げ用フックが配設されていてもよい。
【００３６】
この構成では、小型の金物を吸着保持する保持領域の下部にフックを備えることができ、そのフックには、道具に限らず、鉛直姿勢のときに吊り下げ用のリング等を連結されている鍵などを吊り下げておくことができる。
【００３７】
ここで、この金物保持器具としては、前記保持部を所望の位置に吊り下げた状態で支持する前記吊下部を備える場合には、前記吊下部が前記保持部の上部の１箇所または２箇所を支持して、当該支持箇所以外の上部には吸着状態のまま上方にスライドさせる前記金物に突き当たることがないように開放されている保持領域となるようにしてもよい。この場合には、保持部の保持領域の平面内に磁力により吸着保持されているネジやナットやワッシャなどの小型の金物は、その保持領域の平面内を吸着されている状態のまま平面方向に滑らせて（スライドさせて）、少なくとも上部の支持箇所以外から外部に取り出すことができ、その保持領域が側方や下方にも開放されている場合には、そこから吸着されている金物をスライドさせて取り出してもよく、この構成は、前記保持領域が非平面に形成されていない（平面状に連続する）表面の場合にも適用することができる。
【００３８】
以下、図面を参照して、本発明の実施形態について詳細に説明する。図１および図２は本発明に係る金物保持器具の第１実施形態を示す図である。
【００３９】
図１において、金物保持器具１０は、ネジやナットやワッシャなどの複数個の小型の金物を広げた状態にして保持させることのできる面積の保持領域１１ｋを表面側に備える平板形状の本体部（保持部）１１と、この本体部１１の下部の同一幅になるように連設されて保持領域１１ｋの表面側から突出しその先端側を上方に向けた断面形状になるように形成されている受け形状部１２と、本体部１１の側方に隣接する位置に連設されて有底の筒形状に形成されている差込部１３と、この差込部１３や受け形状部１２（本体部１１）の下面に連設されてその連設位置から降下した後に先端側が上方に屈曲するフック形状に形成されている吊り下げ用のフック１４と、を備えている。
【００４０】
この金物保持器具１０は、本体部１１の上部の両側２箇所に貫通穴（吊下部）２１が開口されており、例えば、図２に示すように、その貫通穴２１に吊り下げ部材１５の一端部１５ａを挿通して支持させることにより、本体部１１を鉛直姿勢に吊下・支持して使用するようになっている。この吊り下げ部材１５は、一端部１５ａが本体部１１の上端から貫通穴２１までの間隔よりも大きな内径になるように湾曲されているとともに、他端部１５ｂが高所作業車のバケットの縁Ｂに引っ掛け可能にコ字形状に形成されている。このため、金物保持器具１０は、本体部１１を吊り下げ部材１５により高所作業車のバケットの縁Ｂに吊り下げた状態することができ、その吊り下げ状態から手前側に本体部１１を回動させて水平姿勢にすることができる。ここで、貫通穴２１は、２箇所に限るものではなく、３箇所以上でもよく、また、揺動しても問題ない場合には、１箇所でもよいことはいうまでもない。
【００４１】
そして、金物保持器具１０は、鉄などの強磁性材料を平板形状に形成した吸着部材２２の背面側に永久磁石２３を固設することにより本体部１１が構成されており、永久磁石２３の磁力により吸着部材２２の表面側の全面をネジやナットやワッシャなどの小型の金物を吸着保持することができるようになっている。この本体部１１は、背面側が永久磁石２３を嵌め込み固定するように枠形状に形成される一方、表面側では貫通穴２１の形成位置以外を吸着部材２２が覆う形状に形成されて永久磁石２３の周囲の枠形状に接着させて固設するようになっている。この本体部１１は、鉄などの吸着部材２２を所望の表面形状になるように容易に加工することができ、単なる平板形状の永久磁石２３をその背面側に固設するだけで容易に作製することができる。
【００４２】
また、この本体部１１は、吸着部材２２の表面側に断面三角形の溝を横方向に連続するように刻設することにより、外周縁の内部で外側（前面側）に複数の凸形状が突出するように、上下方向の断面が三角波形状（凸形状）に形成されており（凹凸が横方向に連続する非平面に形成されており）、吸着部材２２の保持領域１１ｋの表面側の傾斜面２２ａに小型の金物を背面側の永久磁石２３の磁力で吸着保持させるようになっている。なお、吸着部材２２の表面側は、鋸波形状に形成してもよいことは言うまでもなく、他の異形状でもよく、非平面に形成すればよい。
【００４３】
これにより、金物保持器具１０は、図２に示すように、高所作業車のバケットの縁Ｂに鉛直姿勢に吊り下げる本体部１１の表面側の吸着部材２２の傾斜面２２ａ毎に、例えば、ワッシャＷを磁力により吸着保持させることができ、そのワッシャＷは、指先で押さえるようにしつつ上方あるいは下方の傾斜面２２ａの頂部２２ｂ（谷は２２ｃで図示）に向けて滑らすことにより吸着部材２２の傾斜面２２ａから浮かした状態にして摘むことができ、ゴム手袋をしていても容易に取り出すことができる。
【００４４】
このとき、金物保持器具１０は、本体部１１を吊り下げた状態から手前側に回動させて金物の保持領域１１ｋを水平姿勢にすることができ、吸着部材２２に吸着保持させるワッシャＷなどの金物を容易に目視により確認して選択できるように操作することができる。
【００４５】
また、金物保持器具１０は、本体部１１に吸着保持させているワッシャＷなどの金物が取り出す際や本体部１１の回動時などに脱落・降下する場合でも、その本体部１１の保持領域１１ｋの前面側下方に位置する受け形状部１２が受け取って落下してしまうことを少なくすることができる。
【００４６】
さらに、金物保持器具１０は、本体部１１の保持領域１１ｋに吸着保持させることのできる金物の大きさや重量が背面側の永久磁石２３の磁力の大きさによるが、長尺なボルトなどの場合には、本体部１１に隣接する位置に筒形状の差込部１３が準備されている。このため、そのボルトなどは、差込部１３内に差し込んで立てた姿勢のまま邪魔になることなく、また、無理なく保持させることができ、必要に応じてその差込部１３の上部から出ている端部を摘んで使用することができる。この差込部１３は、長尺な金物だけでなく、例えば、ドライバ工具などを差し込んで保持させるように使用してもよいことはいうまでもない。
【００４７】
また、金物保持器具１０は、本体部１１や差込部１３の下部にはフック１４が準備されているので、吊り下げ用のリングなどが連結されている鍵なども吊り下げておくこともできる。
【００４８】
このように本実施形態においては、高所作業車のバケットにおける操作盤などの有無に関係なく、そのバケットに金物保持器具１０を吊り下げて、作業に使用するワッシャＷなどの小型の金物を本体部１１の保持領域１１ｋに磁力により吸着保持させることができ、必要に応じて吸着部材２２の傾斜面２２ａを利用することによりワッシャＷなどの小型の金物でもゴム手袋のまま摘んで容易に取り出すことができる。
【００４９】
次に、図３は本発明に係る金物保持器具の第２実施形態を示す図である。ここで、本実施形態は、上述第１実施形態と略同様に構成されているので、同様の構成には同様の符号を付して特徴部分を説明する（以降で説明する他の実施形態においても同様）。
【００５０】
図３において、金物保持器具３０は、本体部１１と、受け形状部１２と、差込部１３と、フック１４とを備えて、本体部１１の貫通穴２１を利用して吊り下げ部材１５により鉛直姿勢で高所作業車のバケットの縁Ｂなどに引っ掛けて使用するようになっており、本体部１１は、上述第１実施形態の吸着部材２２に代えて、鉄などの強磁性材料を平板形状に形成した吸着部材３２の背面側に永久磁石２３を固着することにより構成されている。
【００５１】
この本体部１１の保持領域１１ｋは、吸着部材３２の表面側に断面三角形の溝を横方向と縦方向に連続するように刻設することにより、所謂、ピラミッド形状（突起状の凸形状）３３が整列状態に突出するように形成されており（凹凸が横方向と縦方向に連続する非平面に形成されており）、そのピラミッド形状３３の斜面３３ａに小型の金物を背面側の永久磁石２３の磁力で吸着保持させるようになっている。なお、吸着部材３２の表面側は、ピラミッド形状３３以外の他の異形状に形成してもよく、また、整列させることなくランダムな位置に形成してもよいことは言うまでもなく、非平面に形成すればよい。
【００５２】
これにより、金物保持器具３０は、高所作業車のバケットの縁Ｂに鉛直姿勢に吊り下げる本体部１１の表面側の吸着部材３２のピラミッド形状３３の斜面３３ａ毎に、ワッシャＷなどを磁力により吸着保持させることができ、そのワッシャＷは、指先で押さえるようにしつつ上方や下方だけでなく側方にも斜面３３ａの頂部３２ｂに向けて滑らすことにより吸着部材３２の斜面３３ａから浮かした状態にして摘むことができ、ゴム手袋をしていても容易に取り出すことができる。
【００５３】
このように本実施形態においては、上述第１実施形態による作用効果に加えて、本体部１１の保持領域１１ｋに吸着保持させているワッシャＷなどの小型の金物をずらす方向に制限なく容易に摘んで取り出すことができ、より作業性を向上させることができる。
【００５４】
次に、図４は本発明に係る金物保持器具の第３実施形態を示す図である。
図４において、金物保持器具１０の本体部４１は、上述第１、２実施形態のように吸着部材２２、３２の背面側に永久磁石２３を固着するのではなく、その保持領域１１ｋに断面四角の棒状の永久磁石４３の複数本を横臥させる姿勢で敷き詰めることにより、その永久磁石４３の角部を頂部（頂角）４３ｂとする非平面状態に配列することができ、その永久磁石４３の頂部４３ｂの両側の斜面４３ａにワッシャＷなどの小型の金物を自身の磁力で吸着保持させるようになっている。
【００５５】
これにより、本体部１１は、棒状の永久磁石４３を角部が頂部４３ｂになるように表面側に対して寝かせる状態で固設するだけで、その角部の両側斜面４３ａに金物を吸着保持させる保持領域１１ｋを構成することができ、容易に加工して作製することができる。
【００５６】
このように本実施形態においては、上述第１実施形態による作用効果に加えて、より安価かつ容易に作製することができる。
【００５７】
ここで、上述実施形態では、高所作業車のバケットの縁Ｂに吊り下げる場合を一例にして説明するがこれに限るものではなく、例えば、作業者のベルトなどに吊り下げるようにしてもよいことはいうまでもない。
【００５８】
さらに、本体部１１の保持領域１１ｋは、断面凸形状に形成する非平面に限らず、滑らかな平面に形成してもよく、この場合には、周囲の縁部側をできるだけ開放して、吸着状態のまま滑らせる金物を突き当たることなく取り出すことができるようにしてもよい。ただし、この場合には、他の金物が滑らせる際に邪魔になるので、上述実施形態のように構成する方が好適である。
【００５９】
また、受け形状部１２は、平板形状のまま前面側に延在する形状に形成するとともに、の上面にも平板状の永久磁石を貼付して金物を磁力により吸着保持する補助領域としてもよい。この場合には、保持領域１１ｋから降下する金物も受け形状部１２上面の補助領域で磁力により吸着保持することができ、落下してしまう金物をより少なくすることができる。
【産業上の利用可能性】
【００６０】
これまで本発明の一実施形態について説明したが、本発明は上述の実施形態に限定されず、その技術的思想の範囲内において種々異なる形態にて実施されてよいことは言うまでもない。
【符号の説明】
【００６１】
１０、３０……金物保持器具      １１、４１……本体部      １１ｋ……保持領域      １２……受け形状部      １３……差込部      １４……フック      １５……吊り下げ部材      ２１……貫通穴      ２２、３２……吸着部材      ２２ａ……傾斜面      ２３、４３……永久磁石      ３３……ピラミッド形状      ３３ａ、４３ａ……斜面      Ｗ……ワッシャ
【図１】
2011161548.tif 000003
【図２】
2011161548.tif 000004
【図３】
2011161548.tif 000005
【図４】
2011161548.tif 000006